(57)【要約】【課題】ピックアップを移動するための駆動源としてのモータの小型化と低コスト化を図ることができる記録媒体再生装置を提供する。【解決手段】ＣＤチェンジャは機器本体と機器本体に収容されたＣＤ２をクランプしてこのＣＤ２を回転するクランプ部６７とクランプ部６７に接離自在に設けられかつＣＤ２の情報を読み出すピックアップ部６９とピックアップ部６９がクランプ部６７から離れる動作に連動してクランプ部６７のクランプを解除させることが可能なクランプ解除部７１とクランプ解除部７１がクランプ部６７のクランプを解除することを許容する解除許容位置とクランプ解除部７１がクランプ部６７のクランプを解除することを規制する解除規制位置とに亘って変位自在な切換部７０を備えている。【選択図】図７
2009289303.tif 000002
【特許請求の範囲】
【請求項１】
機器本体と、
前記機器本体に収容された記録媒体をクランプしてこの記録媒体を回転するクランプ部と、
前記クランプ部に接離自在に設けられかつ前記記録媒体の情報を読み出すピックアップ部と、
前記ピックアップ部が前記クランプ部から離れる動作に連動して前記クランプ部のクランプを解除させることが可能なクランプ解除部と、
前記クランプ解除部が前記クランプ部のクランプを解除することを許容する解除許容位置と、前記クランプ解除部が前記クランプ部のクランプを解除することを規制する解除規制位置とに亘って変位自在な切換手段と、
を備えたことを特徴とする記録媒体再生装置。
【請求項２】
前記クランプ部は、
前記記録媒体を表面上に位置付けて該記録媒体とともに回転するターンテーブルと、
前記ターンテーブルの表面に対し直交する方向に沿って移動自在に設けられかつ前記ターンテーブルに近づく方向に付勢された可動部材と、
前記ターンテーブルと前記可動部材との間に設けられ、かつ前記可動部材が前記ターンテーブルに近づくと一端部が前記表面から突出するとともに、前記可動部材が前記ターンテーブルから離れると前記一端部が前記表面に没する突没部材と、を備え、
前記クランプ解除部は、
一端部が前記ターンテーブルと前記可動部材との間から離れる方向に付勢された解除アームを備え、
前記一端部は、前記切換手段が前記解除許容位置に位置付けられると前記ピックアップ部の動作に連動して前記ターンテーブルと前記可動部材との間に侵入することを特徴とする請求項１記載の記録媒体再生装置。
【請求項３】
前記クランプ解除部は、前記ピックアップ部に設けられたカム突起と、前記解除アームに設けられた第２カム突起と、を備え、
前記カム突起と前記第２カム突起とは、前記切換手段が前記解除許容位置に位置付けられると、前記ピックアップ部が前記クランプ部から離れる動作に連動して、互いに接触して前記一端部を前記ターンテーブルと前記可動部材との間に侵入させる位置に設けられ、前記切換手段が前記解除規制位置に位置付けられると、前記ピックアップ部が前記クランプ部から離れても、互いに接触しない位置に設けられていることを特徴とする請求項２記載の記録媒体再生装置。
【請求項４】
前記クランプ部と前記ピックアップ部とを配するとともに、前記機器本体に対し移動自在に支持される移動フレームをさらに備え、
前記切換手段は、前記移動フレームを前記機器本体に固定する際に前記解除許容位置に位置付けられ、前記移動フレームが前記機器本体に対して移動自在な際に前記解除規制位置に位置付けられることを特徴とする請求項１乃至請求項３のうちいずれか一項に記載の記録媒体再生装置。
【発明の詳細な説明】
【技術分野】
【０００１】
本発明は、自動車などに搭載される記録媒体再生装置に関する。
【背景技術】
【０００２】
例えば、コンパクトディスク（以下、ＣＤと記す）などの光ディスクなどの記録媒体に記録された情報を読み取る記録媒体再生装置（例えば、特許文献１参照。）は、前記情報を読み取るための光学式のピックアップと、前記記録媒体を保持しかつ回転するためのクランプ部とを備えている。クランプ部は、前記記録媒体を回転させるためのターンテーブルと、該ターンテーブルに前記記録媒体を保持するためのクランプ機構を備えている。例えば、自動車などに装備される記録媒体再生装置は、より小型化及び軽量化が望まれている。
【０００３】
このため、前述したクランプ機構として、可動部材と、前記ターンテーブルと可動部材との間に設けられた突没部材と、爪部材と、を備えたものが知られている。前記ターンテーブルは、記録媒体を載置する略平坦な載置面を備えている。可動部材は、載置面の裏側に設けられ、その載置面に対して垂直な方向に沿って摺動自在に設けられ、かつ前記ターンテーブルに向かって付勢手段により付勢されている。
【０００４】
突没部材は、側方からみてく字状に形成されている。突没部材は、前記ターンテーブルの周方向に沿って複数設けられている。突没部材は、前記可動部材がターンテーブルに近づくと、可動部材により持ち上げられて一端部が前記載置面から突出する。そして、該一端部が、載置面との間に記録媒体を挟むことができる。また、突没部材は、前記可動部材がターンテーブルから離れると、自重により一端部が前記載置面に略没する。そして、前記一端部が記録媒体を載置面との間に挟めなくなる。
【０００５】
爪部材は、前記ピックアップに取り付けられている。前記ピックアップが前記ターンテーブルに近づくと、前記爪部材は、ターンテーブルと可動部材との間に侵入する。そして、爪部材は、可動部材をターンテーブルから離す。又、爪部材は、ピックアップがターンテーブルから離れると可動部材との間から抜け出て、可動部材を載置面の裏側に接触させる。
【０００６】
前述した従来のクランプ機構は、前記ピックアップが前記ターンテーブルに近づいて、爪部材がターンテーブルと可動部材との間に侵入する。すると、突没部材の一端部が載置面に没して、載置面に記録媒体を載置可能となる。載置面に記録媒体が載置されると、前記ピックアップが前記ターンテーブルから離れて、爪部材がターンテーブルと可動部材との間から抜け出る。すると、突没部材の一端部が、載置面との間に記録媒体を挟む。こうして、前述した従来のクランプ機構は、記録媒体をクランプする。
【０００７】
記録媒体を載置面から取り外す際には、ピックアップがターンテーブルに近づく。すると、爪部材がターンテーブルと可動部材との間に侵入して、突没部材の一端部が載置面に没する。そして、載置面から記録媒体を取り外すことができる。
【特許文献１】特開平１０−１６２４６３号公報
【発明の開示】
【発明が解決しようとする課題】
【０００８】
前述した従来の記録媒体再生装置では、ピックアップをターンテーブルに近づけて、爪部材を付勢手段の付勢力に抗して、可動部材とターンテーブルとの間に圧入することで、クランプ機構のクランプを解除してきた。この際、記録媒体に情報が記録されている領域についてはピックアップが情報を読み取るために移動する必要があるので、クランプを解除するためにはこの領域に対応する範囲よりもさらにターンテーブルに近づく方向にピックアップが移動しなければならなかった。このように、ピックアップをターンテーブルに近づけるために、クランプ機構の解除に必要となるピックアップの移動ストロークが小さくなり、クランプ機構のクランプを解除するために必要となるピックアップを移動するための駆動力（トルク）が大きくなる傾向であった。よって、ピックアップを移動するためのモータが大型化するとともに高コスト化する傾向であった。
【０００９】
本発明の目的の一例は、ピックアップを移動するための駆動源としてのモータの小型化と低コスト化を図ることができる記録媒体再生装置を提供することにある。
【課題を解決するための手段】
【００１０】
前記課題を解決し目的を達成するために、本発明の記録媒体再生装置は、機器本体と、前記機器本体に収容された記録媒体をクランプしてこの記録媒体を回転するクランプ部と、前記クランプ部に接離自在に設けられかつ前記記録媒体の情報を読み出すピックアップ部と、前記ピックアップ部が前記クランプ部から離れる動作に連動して前記クランプ部のクランプを解除させることが可能なクランプ解除部と、前記クランプ解除部が前記クランプ部のクランプを解除することを許容する解除許容位置と、前記クランプ解除部が前記クランプ部のクランプを解除することを規制する解除規制位置とに亘って変位自在な切換手段と、を備えたことを特徴としている。
【発明を実施するための最良の形態】
【００１１】
以下、本発明における記録媒体再生装置の実施の形態について説明する。本実施の形態における記録媒体再生装置は、当該クランプを解除することを許容する解除許容位置と、クランプを解除することを規制する解除規制位置とに亘って、変位自在な切換手段を設けているので、ピックアップ部がクランプから離れる動作に連動してクランプ解除部がクランプを解除することができるようにしている。
【００１２】
こうすることで、ピックアップ部がクランプ部から離れた位置において、クランプ部のクランプを解除できるので、当該クランプ部のクランプを解除するために必要なピックアップ部の移動ストロークを大きくとることができる。したがって、弱いトルクによっても、クランプ部のクランプを解除することができ、ピックアップ部を移動するための駆動源としてのモータの小型化と低コスト化を図ることができる。
【００１３】
また、本発明の実施の形態にかかる記録媒体再生装置は、クランプ部がターンテーブルと可動部材と突没部材とを備え、クランプ解除部が、切換手段が解除許容位置に位置付けられるとピックアップ部の動作に連動してターンテーブルと可動部材との間に侵入する解除アームを備えても良い。こうすることで、切換手段が解除許容位置に位置付けられたときに、クランプ解除部の一端部は、ピックアップ部がクランプ部から離れる動作に連動してターンテーブルと可動部材との間に侵入してクランプを解除し、それ以外のときは一端部が侵入方向とは逆に付勢されているため、例えば記録媒体から情報を読み出している時など、記録媒体のクランプの維持が必要な場合に誤ってクランプを解除してしまうという誤動作を防止できる。
【００１４】
さらに、クランプ解除部は、切換手段が解除許容位置に位置付けられると互いに接触し解除規制位置に位置付けられると互いに接触しない位置に設けられたカム突起及び第２カム突起を備えても良い。こうすることで、ピックアップ部がクランプ部から離れる動作を行っても、切換手段が解除許容位置に位置付けられるときは一端部がターンテーブルと可動部材との間に侵入してクランプを解除し、解除規制位置に位置付けられるときはクランプが解除されないので、ピックアップ部は、記録媒体から情報を読み出すための移動範囲を移動することでクランプの解除を行うことが可能となる。よって、クランプ解除の際にピックアップ部の移動ストロークを大きくとることができる。
【００１５】
また、クランプ部とピックアップ部とを配するとともに、機器本体に対し移動自在に支持される移動フレームをさらに備え、切換手段は、移動フレームを機器本体に固定する際に解除許容位置に位置付けられ、移動フレームが機器本体に対して移動自在な際に解除規制位置に位置付けられるようにしても良い。
【００１６】
この場合、移動フレームが機器本体から移動自在な状態で記録媒体から情報を読み出す際に誤ってクランプを解除することがなく、かつ、クランプ部を配する移動フレームを機器本体に固定したときだけクランプを解除することが可能なため安定したクランプ解除動作が可能となる。
【実施例】
【００１７】
以下、本発明の一実施例にかかる記録媒体再生装置の一例としてのＣＤチェンジャ１を、図１ないし図１２に基づいて説明する。
【００１８】
図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１９】
ＣＤチェンジャ１は、図２に示すように、機器本体３（図１に示す）と、図示しない操作部と、ディスク搬送部４と、連動駆動部６０（図３に示す）と、ディスク再生部５と、ディスク収容部６と、ディスク移動機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００２０】
機器本体３は、合成樹脂からなる図１に示す外側ケース８と、板金などからなる図２などに示す固定シャーシ９と、図３に示す移動シャーシ１６と、図３に示す揺動シャーシ１７と、図３に示す移動シャーシ１８とを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００２１】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。
【００２２】
移動シャーシ１６は、板金などからなり、枠状に形成されている。移動シャーシ１６は、ディスク収容部６のホルダ１９が互いに重なる方向即ち複数のＣＤ２が互いに重なる前記厚み方向Ｚに沿って移動自在に、固定シャーシ９の周板１２などに支持されている。
【００２３】
揺動シャーシ１７は、板金などからなり、帯板状に形成されている。揺動シャーシ１７は、一端部１７ａを中心として回動自在に移動シャーシ１６に支持されている。揺動シャーシ１７は、一端部１７ａを中心として回動することで、ディスク収容部６に収容される複数のＣＤ２間に他端部１７ｂが侵入する状態と、ディスク収容部６に収容される複数のＣＤ２間から他端部１７ｂが抜け出る状態とに亘って変位自在になっている。
【００２４】
移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した厚み方向Ｚに沿って移動自在に固定シャーシ９の周板１２などに支持されている。
【００２５】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２６】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２７】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介してモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２８】
連動駆動部６０は、図３などに示すように、第１のスライドシャーシ６１と、第２のスライドシャーシ６２と、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。
【００２９】
水平部６４は、他端部１７ｂが複数のＣＤ２間から抜け出た状態の揺動シャーシ１７の長手方向に沿ってスライド自在に前記底板１１に支持されている。水平部６４は、ディスク移動機構７の後述するモータ２０の駆動力により、他端部１７ｂが複数のＣＤ２間から抜け出た状態の揺動シャーシ１７の長手方向に沿って移動する。鉛直片６５は、水平部６４の縁から上方即ち第２のスライドシャーシ６２に向かって延びている。
【００３０】
第２のスライドシャーシ６２は、板金からなり、平板状に形成されている。第２のスライドシャーシ６２は、移動シャーシ１６と底板１１との間に配されているとともに、移動シャーシ１６に重ねられている。第２のスライドシャーシ６２は、他端部１７ｂが複数のＣＤ２間から抜け出た状態の揺動シャーシ１７の長手方向に沿ってスライド自在に移動シャーシ１６に支持されている。
【００３１】
また、第２のスライドシャーシ６２には、前述した鉛直片６５が係止している。このため、第２のスライドシャーシ６２は、鉛直片６５とともに、モータ２０の駆動力により、他端部１７ｂが複数のＣＤ２間から抜け出た状態の揺動シャーシ１７の長手方向に沿って移動する。
【００３２】
揺動アーム６３は、板金からなり、平板状に形成されている。揺動アーム６３の平面形状は、図４ないし図６に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部１７ａを中心として、該揺動シャーシ１７を揺動させる。
【００３３】
連動駆動部６０は、モータ２０の駆動力により、第１のスライドシャーシ６１と第２のスライドシャーシ６２を移動させて、揺動アーム６３を回転して、一端部１７ａを中心として揺動シャーシ１７を揺動させるとともに、後述の切換部７０の第１及び第２切換部材８２，８３を解除許容位置と解除規制位置とに亘って変位させる。
【００３４】
ディスク再生部５は、機器本体３内に収容されており、図４及び図９に示すように、揺動シャーシ１７に設けられている。ディスク再生部５は、図７ないし図９に示すように、移動フレーム６６と、クランプ部６７と、ピックアップ移動部６８と、ピックアップ部６９と、切換手段としての切換部７０と、クランプ解除部７１と、を備えている。
【００３５】
移動フレーム６６は、板金からなり平板状に形成されている。移動フレーム６６は、揺動シャーシ１７と、移動シャーシ１８との間に配されており、揺動シャーシ１７に重ねられている。移動フレーム６６は、ゴムやコイルばねなどによって、揺動シャーシ１７即ち機器本体３に対し移動自在に支持されかつクランプ部６７とピックアップ部６９とを配している。このため、移動フレーム６６即ちクランプ部６７及びピックアップ部６９は、揺動シャーシ１７即ち機器本体３に対し移動自在に支持されている。
【００３６】
ＣＤチェンジャ１が、前記自動車などに取り付けられるため、該自動車の走行中の振動などによって、機器本体３が振動する。そして、移動フレーム６６即ちディスク再生部５は、前述したゴムやコイルばねなどによって、機器本体３に対し移動する。このように、移動フレーム６６がゴムやコイルばねなどにより機器本体３に対し移動自在に支持されることで、ディスク再生部５のピックアップ部６９がＣＤ２の情報を読み出す際の前述した振動による影響を抑制している。
【００３７】
クランプ部６７は、図１０に示すように、ターンテーブル７２と、スピンドルモータ７３と、可動部材７４と、突没部材としての複数のクランプ爪７５とを備えている。ターンテーブル７２は、揺動シャーシ１７の他端部１７ｂに配され、移動フレーム６６に回転自在に支持されている。ターンテーブル７２は、円板状に形成されており、表面７２ａ上にＣＤ２が置かれる。また、ターンテーブル７２は、孔７６が複数形成されている。孔７６は、勿論、ターンテーブル７２を貫通している。図示例では、孔７６は、三つ設けられている。これらの孔７６は、前記表面７２ａに対し直交しかつ前記ターンテーブル７２の中心を通る軸芯を中心として、周方向に沿って等間隔に配されている。
【００３８】
スピンドルモータ７３は、揺動シャーシ１７の他端部１７ｂに配され、移動フレーム６６とターンテーブル７２との間に設けられている。スピンドルモータ７３は、移動フレーム６６に固定されており、その出力軸がターンテーブル７２の中央に取り付けられている。スピンドルモータ７３は、ターンテーブル７２を前述した軸芯周りに回転する。
【００３９】
可動部材７４は、円環状に形成されている。可動部材７４は、内側にスピンドルモータ７３の出力軸を通し、スピンドルモータ７３とターンテーブル７２との間に配されている。可動部材７４は、ターンテーブル７２及びスピンドルモータ７３と同軸に配されている。可動部材７４は、前記軸芯に沿って移動自在に設けられている。このため、可動部材７４は、ターンテーブル７２の表面７２ａに対し直交する方向に沿って移動自在に設けられている。さらに、可動部材７４は、コイルばねなどにより、ターンテーブル７２に近づく方向に付勢されている。
【００４０】
クランプ爪７５は、図１０に示すように、側方からみて、く字状に形成されている。クランプ爪７５は、ターンテーブル７２と可動部材７４との間でかつ前記孔７６内に設けられている。このため、クランプ爪７５は、ターンテーブル７２と可動部材７４との間に配されている。
【００４１】
クランプ爪７５は、一端部が孔７６を通して前記表面７２ａから突出するクランプ位置（図１０などに示す）と、一端部が表面７２ａ下に没するアンクランプ位置（図１２に示す）と、に亘って変位自在に、他端部がターンテーブル７２に回転自在に支持されている。
【００４２】
クランプ爪７５の一端部は、図１０に示すように、可動部材７４がターンテーブル７２に近づくと、表面７２ａから突出する。また、一端部は、図１２に示すように、可動部材７４がターンテーブル７２から離れると、クランプ爪７５自体の自重によって、下方に変位する。そして、一端部は、可動部材７４がターンテーブル７２から離れると、表面７２ａ下に没する。
【００４３】
クランプ爪７５の一端部は、ターンテーブル７２の表面７２ａから突出すると、ターンテーブル７２上のＣＤ２の中央孔内に突出して、ターンテーブル７２との間にＣＤ２を挟む。クランプ爪７５は、一端部がターンテーブル７２との間に挟むことで、ＣＤ２をクランプする。クランプ爪７５の一端部は、ターンテーブル７２の表面７２ａ下に没すると、ＣＤ２のクランプを解除する。
【００４４】
ピックアップ移動部６８は、移動フレーム６６と、移動シャーシ１８との間に配されているとともに、移動フレーム６６上に設けられている。ピックアップ移動部６８は、駆動手段としてのモータ９５と、ねじ軸７７などを備えている。モータ９５は、揺動シャーシ１７の一端部１７ａに配され、移動フレーム６６に取り付けられている。モータ９５の出力軸には図示しないウォームが取り付けられている。このウォームは、ねじ軸７７に取り付けられたウォームホイールと噛み合っている。
【００４５】
ねじ軸７７は、移動フレーム６６にその軸芯周りに回転自在に支持されている。ねじ軸７７の長手方向は、揺動シャーシ１７の長手方向と平行である。ねじ軸７７は、モータ９５と前述したウォームとウォームホイールなどにより、その軸芯周りに回転される。ピックアップ移動部６８は、ねじ軸７７を回転することで、ピックアップ部６９をねじ軸７７と揺動シャーシ１７の長手方向に沿ってスライドして、ターンテーブル７２に接離させる。なお、接離とは、互いに近づいたり離れたりすることである。
【００４６】
ピックアップ部６９は、ピックアップとしての光ピックアップ７８と、ピックアップケース７９とを備えている。光ピックアップ７８は、ターンテーブル７２に支持されたＣＤ２から情報を読み出す。ピックアップケース７９は、箱状に形成されており、光ピックアップ７８が出射する読取光（主ビーム）を通すことのできる窓８０と、ねじ軸７７に螺合するねじ孔とを備えている。ピックアップケース７９は、ねじ孔にねじ軸７７が螺合することで、ねじ軸７７が回転すると、該ねじ軸７７の長手方向に沿って移動する。
【００４７】
ピックアップ部６９は、ピックアップ移動部６８により、揺動シャーシ１７即ちねじ軸７７の長手方向に沿って移動し、ターンテーブル７２に接離する。ピックアップ部６９は、ターンテーブル７２に支持されたＣＤ２から情報を読み出す。
【００４８】
切換部７０は、図４ないし図６に示すように、第１の切換部材８２と、第２の切換部材８３とを備えている。第１の切換部材８２及び第２の切換部材８３は、揺動シャーシ１７と、移動フレーム６６との間に配されている。第１の切換部材８２は、板金からなり屈曲した帯状の本体部８４と、係止爪８５とを一体に備えている。第１の切換部材８２は、本体部８４の長手方向が揺動シャーシ１７の長手方向と平行な状態で、揺動シャーシ１７に支持されている。また、第１の切換部材８２は、揺動シャーシ１７の長手方向に沿ってスライド自在に揺動シャーシ１７に支持されている。
【００４９】
係止爪８５は、本体部８４の揺動シャーシ１７の他端部１７ｂ寄りの一端部に設けられている。係止爪８５は、本体部８４から立設している。係止爪８５は、第１の切換部材８２がスライドすると、揺動シャーシ１７の他端部１７ｂ側の縁から突出する解除規制位置（図７に示す）と、揺動シャーシ１７の他端部１７ｂと重なる解除許容位置（図４及び図８などに示す）とに亘って、変位自在である。
【００５０】
また、係止爪８５の本体部８４寄りの縁部には、前記解除規制位置で移動フレーム６６と間隔をあけ、かつ前記解除許容位置で移動フレーム６６に係止する係止凹部が形成されている。係止凹部は、係止爪８５の本体部８４寄りの縁部を前記移動フレーム６６から離れる方向に凹に形成している。
【００５１】
第１の切換部材８２は、解除許容位置で、係止凹部が移動フレーム６６に係止する。第１の切換部材８２は、係止爪８５が移動フレーム６６に係止すると、該移動フレーム６６が揺動シャーシ１７即ち機器本体３に対し移動することを規制する（固定する）。
【００５２】
第２の切換部材８３は、図４ないし図６に示すように、板金からなり帯状の本体部８７と、係止爪８８とを一体に備えている。第２の切換部材８３は、中央部を中心として回転自在に揺動シャーシ１７に支持されている。また、第２の切換部材８３の本体部８７の一端部は、第１の切換部材８２の他端部と回転自在に連結している。
【００５３】
係止爪８８は、本体部８７の他端部に設けられている。係止爪８８は、本体部８７から立設している。係止爪８８は、第２の切換部材８３が回転すると、揺動シャーシ１７の一端部１７ａ側の縁から突出する解除規制位置（図６及び図７に示す）と、揺動シャーシ１７の一端部１７ａと重なる解除許容位置（図４及び図８などに示す）とに亘って、変位自在である。
【００５４】
また、係止爪８８には、前記解除規制位置で移動フレーム６６と間隔をあけ、かつ、前記解除許容位置で移動フレーム６６に係止する係止凹部が形成されている。係止凹部は、係止爪８８を前記移動フレーム６６から離れる方向に凹に形成している。
【００５５】
第２の切換部材８３は、解除許容位置で、係止凹部が移動フレーム６６に係止する。第２の切換部材８３は、係止爪８８が移動フレーム６６に係止すると、該移動フレーム６６が揺動シャーシ１７即ち機器本体３に対し移動することを規制する。
【００５６】
前述した第１の切換部材８２と第２の切換部材８３とは、互いに回転自在に連結しているので、互いに連動して、前述した解除規制位置と、解除許容位置とに亘って変位する。勿論、第１の切換部材８２が解除規制位置となると、第２の切換部材８３が解除規制位置になり、第１の切換部材８２が解除許容位置となると、第２の切換部材８３が解除許容位置になる。さらに、第１の切換部材８２と、第２の切換部材８３とは、前述した第１及び第２のスライドシャーシ６１，６２のスライドにより、前述した解除許容位置と解除規制位置とに亘って変位する。
【００５７】
前述した構成の切換部７０は、係止爪８５，８８が移動フレーム６６に係止して、クランプ部６７を揺動シャーシ１７即ち機器本体３に対し固定する解除許容位置と、係止爪８５，８８の係止凹部が移動フレーム６６と間隔をあけて、クランプ部６７を揺動シャーシ１７即ち機器本体３に対し移動自在とする解除規制位置と、に亘って、変位自在である。
【００５８】
クランプ解除部７１は、図７に示すように、一対の解除アーム９０と、カム突起９１と、第２カム突起９２とを備えている。
【００５９】
一対の解除アーム９０は、ターンテーブル７２の近傍で、かつ当該ターンテーブル７２よりもピックアップ部６９から離れた側に配置されている。一対の解除アーム９０は、それぞれ、平面形状がく字状に形成され、その中央部がターンテーブル７２から離れた格好で移動フレーム６６上に配置されている。一対の解除アーム９０は、それぞれ、中央部を中心として回転自在に移動フレーム６６に支持されて、一端部がターンテーブル７２と可動部材７４との間に接離自在に設けられている。また、一対の解除アーム９０は、互いに他端部が回転自在に連結されている。
【００６０】
また、解除アーム９０の一端部には、それぞれ、侵入部９３が設けられている。侵入部９３は、解除アーム９０の一端部からターンテーブル７２に向かって凸に形成されている。侵入部９３は、解除アーム９０の一端部からターンテーブル７２に向かうにしたがって、徐々に薄くなるように形成されている。
【００６１】
侵入部９３は、解除アーム９０の一端部がターンテーブル７２に近づくと、ターンテーブル７２と可動部材７４との間に侵入可能である。侵入部９３は、解除アーム９０の一端部がターンテーブル７２に近づいて、ターンテーブル７２と可動部材７４との間に侵入して、前述したアンクランプ位置までターンテーブル７２から可動部材７４を離す。また、一方の解除アーム９０は、当該解除アーム９０の一端部即ち侵入部９３がターンテーブル７２から離れる方向に付勢手段としてのねじりコイルばね９４により付勢されている。
【００６２】
また、前述した一対の解除アーム９０は、切換部７０が解除規制位置に位置付けられると、図７に示すように、係止爪８５から一方の解除アーム９０が間隔をあけて、当該一方の解除アーム９０が押圧されることがない。そして、図１０に示すように、ねじりコイルばね９４の付勢力により、一対の解除アーム９０の双方の侵入部９３がターンテーブル７２から間隔をあける。
【００６３】
さらに、前述した一対の解除アーム９０は、切換部７０が解除許容位置に位置付けられると、図８に示すように、係止爪８５によって侵入部９３がターンテーブル７２に近づく方向に一方の解除アーム９０が押圧される。そして、図１１に示すように、一対の解除アーム９０の双方の侵入部９３が可動部材７４の外縁に接触する。
【００６４】
カム突起９１は、ピックアップ部６９のピックアップケース７９から他方の解除アーム９０の他端部に向かって凸に形成されている。カム突起９１は、ピックアップ部６９がターンテーブル７２の近傍に位置すると第２カム突起９２と相対する面が、解除アーム９０に向かうにしたがってターンテーブル７２に近づく方向に揺動シャーシ１７の長手方向に対して傾斜したカム面９１ａとなっている。
【００６５】
第２カム突起９２は、この他方の解除アーム９０の他端部からピックアップ部６９のピックアップケース７９に向かって凸の円柱状に形成されている。
【００６６】
前述したカム突起９１と第２カム突起９２とは、切換部７０が解除規制位置に位置付けられると、図７に示すように、ピックアップ部６９が揺動シャーシ１７の長手方向に沿って移動してクランプ部６７に接離する際に、互いに接触しない位置に配置されている。こうして、切換部７０は、解除規制位置に位置付けられると、カム突起９１，９２即ちクランプ解除部７１がクランプ部６７のクランプを解除することを規制する。
【００６７】
また、前述したカム突起９１と第２カム突起９２とは、切換部７０が解除許容位置に位置付けられて、ピックアップ部６９がクランプ部６７に最も近づくと、図８に示すように、揺動シャーシ１７の長手方向に沿って、カム突起９１のカム面９１ａが第２カム突起９２と相対する位置に配置されている。そして、前述したカム突起９１と第２カム突起９２とは、切換部７０が解除許容位置に位置付けられて、クランプ部６７に最も近づいたピックアップ部６９が当該クランプ部６７から離れる動作に連動して、図９に示すように、第２カム突起９２がカム突起９１に接触して、カム面９１ａ上を摺動する位置に配置されている。そして、カム突起９１のカム面９１ａ上を第２カム突起９２が摺動して、ピックアップ部６９がクランプ部６７から離れる動作に連動して、図９に示すように、侵入部９３がターンテーブル７２と可動部材７４との間に侵入する方向に一対の解除アーム９０を回転される位置に配置されている。そして、このとき、カム突起９１，９２は、図１２に示すように、一対の解除アーム９０がクランプ爪７５をアンクランプ位置に位置付けることができる位置に配置されている。こうして、切換部７０は、解除許容位置に位置付けられると、カム突起９１，９２即ちクランプ解除部７１がクランプ部６７のクランプを解除することを許容する。即ち、解除アーム９０の一端部即ち侵入部９２は、切換部７０が前記解除許容位置に位置付けられると、ピックアップ部６９の動作に連動してターンテーブル７２と可動部材７４との間に侵入する。また、カム突起９１，９２は、切換部７０が前記解除許容位置に位置付けられると、ピックアップ部６９がクランプ部６７から離れる動作に連動して、互いに接触して一端部即ち侵入部９２をターンテーブル７２と可動部材７４との間に侵入させる位置に設けられている。
【００６８】
前述した構成によって、クランプ解除部７１は、ピックアップ部６９がクランプ部６７に近づいた状態で、切換部７０が解除許容位置に位置付けられると、係止爪８５により一方の解除アーム９０が押圧されて、図８に示すように、揺動シャーシ１７の長手方向に沿ってカム突起９１，９２同士が並ぶ位置に配置されている。そして、ピックアップ部６９は、クランプ部６７から離れると、第２カム突起９２がカム面９１ａ上を摺動して、侵入部９３がターンテーブル７２と可動部材７４との間に侵入して、可動部材７４をターンテーブル７２から離れた解除位置（図１２に示す）に位置付ける。こうして、クランプ解除部７１は、ピックアップ部６９のクランプ部６７から離れる動作に連動して、当該クランプ部６７のクランプを解除させることが可能である。
【００６９】
また、クランプ解除部７１は、切換部７０が解除規制位置に位置付けられると、ピックアップ部６９がクランプ部６７から離れても、カム突起９１，９２同士が接触しないで、侵入部９３がターンテーブル７２と可動部材７４との間に侵入せずに、可動部材７４をターンテーブル７２に近づけた再生位置（図１０などに示す）に位置付ける。
【００７０】
勿論、解除位置では、侵入部９３即ちクランプ解除部７１は、クランプ部６７を前述したアンクランプ状態に保ち、ターンテーブル７２のＣＤ２のクランプを解除する。再生位置では、侵入部９３即ちクランプ解除部７１は、クランプ部６７を前述したクランプ状態に保ち、ターンテーブル７２にＣＤ２をクランプさせて、該ＣＤ２の情報を読み出すことができる。このように、切換部７０は、クランプ解除部７１がクランプ部６７のクランプを解除することを許容する解除許容位置と、クランプ解除部７１がクランプ部６７のクランプを解除することを規制する解除規制位置とに亘って変位自在となっている。
【００７１】
こうして、ディスク再生部５は、切換部７０が解除規制位置に位置付けられた状態で、クランプ解除部７１がクランプ部６７のクランプを解除せずに、ＣＤ２の情報を読み出して再生する。また、ディスク再生部５は、切換部７０が解除許容位置に位置付けられた状態で、クランプ解除部７１がクランプ部６７のクランプを解除可能となって、ＣＤ２をクランプ部６７に着脱させる。さらに、切換部７０は、移動フレーム６６を機器本体３に固定する際に前記解除許容位置に位置付けられ、移動フレーム６６が機器本体３に対して移動自在な際に前記解除規制位置に位置付けられる。
【００７２】
ディスク再生部５は、揺動シャーシ１７の他端部１７ｂがＣＤ２間に侵入して、クランプ部６７のクランプ爪７５がＣＤ２をクランプするとともに、ターンテーブル７２がＣＤ２を回転する。ディスク再生部５は、ピックアップ部６９の光ピックアップ７８が、ターンテーブル７２により回転されたＣＤ２から情報を読み出す。
【００７３】
ディスク収容部６は、機器本体３内に収容されており、図３に示すように、複数の保持部材としてのホルダ１９とを備えている。
【００７４】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００７５】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、厚み方向Ｚに沿って移動自在に移動シャーシ１８などに支持されている。ディスク収容部６は、ＣＤ２を保持可能な複数のホルダ１９を積層配列して収容する。
【００７６】
ディスク移動機構７は、機器本体３内に収容されており、モータ２０（図３に示す）などを備えている。モータ２０は、図３に示すように、固定シャーシ９に固定されている。ディスク移動機構７は、モータ２０の駆動力により、移動シャーシ１６，１８即ちディスク再生部５とディスク収容部６を厚み方向Ｚに沿って移動させるとともに、ディスク収容部６の各ホルダ１９を厚み方向Ｚに沿って移動させる。ディスク移動機構７は、機器本体３内のＣＤ２から情報を読み出す際には、移動シャーシ１８を底板１１から最も遠ざけて即ち最も上昇させて、移動シャーシ１６を厚み方向Ｚに沿って移動させる。そして、ディスク移動機構７は、ディスク収容部６のホルダ１９を厚み方向Ｚに沿って移動させて、一つのＣＤ２を保持したホルダ１９を他のホルダ１９から遠ざけて、これらのホルダ１９間に揺動シャーシ１７の他端部１７ｂを侵入させて、ディスク再生部５に前述した一つのＣＤ２から情報を読み出させる。さらに、このとき、ディスク移動機構７は、モータ２０の駆動力により、スライドシャーシ６１，６２を移動させて、切換部７０を解除規制位置と解除許容位置とに亘って変位させて、クランプ部６７にＣＤ２を着脱する。
【００７７】
ディスク移動機構７は、機器本体３の内外にＣＤ２を出し入れする際には、移動シャーシ１６を底板１１に最も近づけて即ち最も降下させて、移動シャーシ１８を厚み方向Ｚに沿って移動させる。そして、ディスク移動機構７は、ディスク収容部６のホルダ１９を厚み方向Ｚに沿って移動させて、機器本体３に挿入されたＣＤ２を保持する又は保持したＣＤ２を機器本体３外に排出する一つのホルダ１９を他のホルダ１９から遠ざけるとともに、この一つのホルダ１９をディスク搬送部４のローラアーム１３と奥行き方向Ｙに沿って並ぶ位置に位置付けて、機器本体３に挿入されたＣＤ２を前述した一つのホルダ１９に保持させたり、前述した一つのホルダ１９に保持されたＣＤ２を機器本体３外に排出させる。
【００７８】
本実施例によれば、クランプ部６７のクランプを解除することを許容する解除許容位置と、クランプ部６７のクランプを解除することを規制する解除規制位置とに亘って、変位自在な切換部７０を設けて、ピックアップ部６９がクランプ部６７から離れる動作に連動してクランプ解除部７１がクランプを解除することができるようにしても、ピックアップ部６９によるＣＤ２からの確実な情報の読み出しを可能としている。
【００７９】
こうすることで、ピックアップ部６９によるＣＤ２からの確実な情報の読み出しを可能としながら、ピックアップ部６９がクランプ部６７から離れた位置において、クランプ部６７のクランプを解除できるので、当該クランプ部６７のクランプを解除するために必要なピックアップ部６９の移動ストロークを大きくとることができる。したがって、弱いトルクによっても、クランプ部６７のクランプを解除することができ、ピックアップ部６９を移動するための駆動源としてのモータ９５の小型化と低コスト化を図ることができる。
【００８０】
また、クランプ部６７がターンテーブル７２と可動部材７４とクランプ爪７５とを備え、クランプ解除部７１が、切換部７０が解除許容位置に位置付けられるとピックアップ部６９の動作に連動してターンテーブル７２と可動部材７４との間に侵入する解除アーム９０を備えても良い。こうすることで、切換部７０が解除許容位置に位置付けられたときに、クランプ解除部７１の解除アーム９０の一端部即ち侵入部９３は、ピックアップ部６９がクランプ部６７から離れる動作に連動してターンテーブル７２と可動部材７４との間に侵入してクランプを解除し、それ以外のときは一端部即ち侵入部９３が侵入方向とは逆に付勢されているため、例えばＣＤ２から情報を読み出している時など、ＣＤ２のクランプの維持が必要な場合に誤ってクランプを解除してしまうという誤動作を防止できる。
【００８１】
さらに、クランプ解除部７１は、切換部７０が解除許容位置に位置付けられると互いに接触し解除規制位置に位置付けられると互いに接触しない位置に設けられたカム突起９１及び第２カム突起９２を備えている。このため、ピックアップ部６９がクランプ部６７から離れる動作を行っても、切換部７０が解除許容位置に位置付けられるときは一端部即ち侵入部９３がターンテーブル７２と可動部材７４との間に侵入してクランプを解除し、解除規制位置に位置付けられるときはクランプが解除されないので、ピックアップ部６９は、ＣＤ２から情報を読み出すための移動範囲を移動することでクランプの解除を行うことが可能となる。よって、クランプ解除の際にピックアップ部６９の移動ストロークを大きくとることができる。
【００８２】
また、クランプ部６７とピックアップ部６９とを配するとともに、機器本体３に対し移動自在に支持される移動フレーム６６をさらに備え、切換部７０は、移動フレーム６６を機器本体３に固定する際に解除許容位置に位置付けられ、移動フレーム６６が機器本体３に対して移動自在な際に解除規制位置に位置付けられるようにしている。このため、移動フレーム６６が機器本体３から移動自在な状態でＣＤ２から情報を読み出す際に誤ってクランプを解除することがなく、かつ、クランプ部６７を配する移動フレーム６６を機器本体３に固定したときだけクランプを解除することが可能なため安定したクランプ解除動作が可能となる。
【００８３】
前述した実施例では、記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）な
どの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。
【００８４】
前述した実施例によれば、以下のＣＤチェンジャ１が得られる。
【００８５】
（付記）  機器本体３と、
前記機器本体３に収容されたＣＤ２をクランプしてこのＣＤ２を回転するクランプ部６７と、
前記クランプ部６７に接離自在に設けられかつ前記ＣＤ２の情報を読み出すピックアップ部６９と、
前記ピックアップ部６９が前記クランプ部６７から離れる動作に連動して前記クランプ部６７のクランプを解除させることが可能なクランプ解除部７１と、
前記クランプ解除部７１が前記クランプ部６７のクランプを解除することを許容する解除許容位置と、前記クランプ解除部７１が前記クランプ部６７のクランプを解除することを規制する解除規制位置とに亘って変位自在な切換部７０と、
を備えたことを特徴とするＣＤチェンジャ１。
【００８６】
付記によれば、クランプ部６７のクランプを解除することを許容する解除許容位置と、クランプ部６７のクランプを解除することを規制する解除規制位置とに亘って、変位自在な切換部７０を設けて、ピックアップ部６９がクランプ部６７から離れる動作に連動してクランプ解除部７１がクランプを解除することができるようにしても、ピックアップ部６９によるＣＤ２からの確実な情報の読み出しを可能としている。
【００８７】
こうすることで、ピックアップ部６９によるＣＤ２からの確実な情報の読み出しを可能としながら、ピックアップ部６９がクランプ部６７から離れた位置において、クランプ部６７のクランプを解除できるので、当該クランプ部６７のクランプを解除するために必要なピックアップ部６９の移動ストロークを大きくとることができる。したがって、弱いトルクによっても、クランプ部６７のクランプを解除することができ、ピックアップ部６９を移動するための駆動源としてのモータの小型化と低コスト化を図ることができる。
【００８８】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００８９】
【図１】本発明の一実施例にかかる記録媒体再生装置としてのＣＤチェンジャの外観を示す斜視図である。
【図２】図１に示されたＣＤチェンジャの互いに組み付けられた固定シャーシとディスク搬送部とディスク再生部とディスク収容部とディスク移動機構を示す斜視図である。
【図３】図２に示された固定シャーシとディスク再生部とディスク収容部との一部を分解して示す斜視図である。
【図４】図１に示されたＣＤチェンジャの機器本体の移動シャーシとディスク再生部の一部などを示す平面図である。
【図５】図４に示されたディスク再生部の一部が複数のＣＤ間に侵入した状態などを示す平面図である。
【図６】図５に示されたディスク再生部の一部がＣＤを再生する状態などを示す平面図である。
【図７】図４に示されたＣＤチェンジャの解除規制位置に位置する切換部とディスク再生部などを示す平面図である。
【図８】図７に示されたＣＤチェンジャの解除許容位置に位置する切換部とディスク再生部などを示す平面図である。
【図９】図８に示されたディスク再生部のピックアップ部がクランプ部から離れてクランプ部のクランプが解除さえた状態を示す平面図である。
【図１０】図７中のＸ−Ｘ線に沿って一部を断面で示す側面図である。
【図１１】図８中のＸＩ−ＸＩ線に沿って一部を断面で示す側面図である。
【図１２】図９中のＸＩＩ−ＸＩＩ線に沿って一部を断面で示す側面図である。
【符号の説明】
【００９０】
１  ＣＤチェンジャ（記録媒体再生装置）
２  ＣＤ（記録媒体）
３  機器本体
６６  移動フレーム
６７  クランプ部
６９  ピックアップ部
７０  切換部（切換手段）
７１  クランプ解除部
７２  ターンテーブル
７２ａ  表面
７４  可動部材
７５  クランプ爪（突没部材）
９０  解除アーム
９１  カム突起
９２  第２カム突起
【図１】
2009289303.tif 000003
【図２】
2009289303.tif 000004
【図３】
2009289303.tif 000005
【図４】
2009289303.tif 000006
【図５】
2009289303.tif 000007
【図６】
2009289303.tif 000008
【図７】
2009289303.tif 000009
【図８】
2009289303.tif 000010
【図９】
2009289303.tif 000011
【図１０】
2009289303.tif 000012
【図１１】
2009289303.tif 000013
【図１２】
2009289303.tif 000014